(57)【要約】【課題】トイレットペーパーを使用位置に設置する際の手間や時間をかからないようにし、トイレットペーパーの落下危険性が少ない衛生設備器具を提供する。【解決手段】両端部に第１片持ちピン３１及び第２片持ちピン３３が設けられ角丸長方形の貫通孔４１を長手方向の中央に有する板状の回転アーム１５と、上端側に一方の底面が固定され他方の底面に第３片持ちピン３５が設けられた第１保持軸２１と、一方の底面が下端側に固定され他方の底面に第４片持ちピン３７が設けられた第２保持軸２３と、貫通孔を囲むように一方の端部が固定された可動域制限部３０と、可動域制限部内の空間及び貫通孔を貫通する回転軸２７と、下端に回転軸の一方の端部が貫通孔を貫通して固定され上端に第１又は第２片持ちピンを嵌合する凹部を有する第１支持部１３と、下端に回転軸の他方の端部が固定され上端に第３又は第４片持ちピンを嵌合する凹部を有する第２支持部１１を備える。【選択図】図１
2019103568.tif 000002
【特許請求の範囲】
【請求項１】
互いに対向する第１及び第２の主面を有し、前記第１の主面の長手方向の両端部に第１及び第２片持ちピンが設けられ、長軸が前記長手方向に沿った角丸長方形からなる貫通孔を前記長手方向の中央に有する板状の回転アームと、
柱軸方向に測った長さがトイレットペーパーの紙幅より長い第１の円柱状をなし、前記柱軸方向が前記第２の主面に垂直となるように、前記第２の主面の上端側に前記第１の円柱状の一方の底面が固定され、前記第１の円柱状の他方の底面の一部に第３片持ちピンが設けられ、前記第１の円柱状の部分に第１ロール紙を保持可能な第１保持軸と、
該第１保持軸と同一の柱軸方向の長さを有する第２の円柱状をなし、前記第１保持軸と平行に、前記第２の円柱状の一方の底面が前記第２の主面の下端側に固定され、前記第２の円柱状の他方の底面の一部に第４片持ちピンが設けられ、前記第２の円柱状の部分に第２ロール紙を保持可能な第２保持軸と、
該第２保持軸と平行に筒軸方向を定義し、前記貫通孔を囲むように前記第２の主面に前記筒軸方向の一方の端部が固定された筒状の可動域制限部と、
前記第１保持軸と平行に、前記可動域制限部内の空間及び前記貫通孔を貫通する、前記第１保持軸よりも長い回転軸と、
前記第１の主面と平行に前記第１の主面に隣接して配置され、下端に前記回転軸の一方の端部が前記貫通孔を貫通して垂直に固定され、上端に前記第１片持ちピン又は前記第２片持ちピンを嵌合する凹部を有する第１支持部と、
前記回転アームと平行に、前記回転アームから前記第１保持軸の前記柱軸方向の長さ以上に離間して配置された板状をなし、下端に前記回転軸の他方の端部が垂直に固定され、上端に前記第３片持ちピン又は前記第４片持ちピンを嵌合する凹部を有する第２支持部と、
を備えることを特徴とする衛生設備器具。
【請求項２】
前記第１支持部の形状が棒状であることを特徴とする、請求項１に記載の衛生設備器具。
【請求項３】
前記第１保持軸を囲む位置に、母線を前記柱軸方向と平行にして前記回転アームに設けられた第１ロール紙カバーと、
前記第２保持軸を囲む位置に、母線を前記柱軸方向と平行にして前記回転アームに設けられた第２ロール紙カバーと、
を更に備えることを特徴とする、請求項１又は２に記載の衛生設備器具。
【請求項４】
前記可動域制限部から吊るすように設けられたシャッター型ロール紙カバーと、
を更に備えることを特徴とする、請求項１又は２に記載の衛生設備器具。
【発明の詳細な説明】
【技術分野】
【０００１】
本発明は、予備のトイレットペーパーを保持し、交換することを容易にする衛生設備器具に関する。
【背景技術】
【０００２】
従来のトイレットペーパーの紙巻器（トイレットペーパー・ホルダ）は、ロール紙を構成しているトイレットペーパーを使い終えた後に、トイレットペーパーの芯（紙管）の内側を保持していた支持軸を紙巻器本体から取り外し、使い終えたトイレットペーパーの紙管を支持軸から除く。そして、支持軸に新しいトイレットペーパーを差し込んで、紙巻器本体に新しいトイレットペーパーを支持軸ごと戻すという一連の作業がある。
【０００３】
このように、従来のトイレットペーパーの紙巻器は、両手を使わなければならないという手間があり、使い終えたときのロール紙の交換に時間がかかりすぎていた。予備のトイレットペーパーを上部に保持できるタイプの紙巻器が一般に普及しており、取り付けられているレバーを操作することで、新しいトイレットペーパーをワンタッチで使用位置に設置できる利点がある。しかし、使い終えたロール紙の紙管が紙巻器の下に落ちてくるために、やはり両手を使わなければならないという不便さがあった。
【０００４】
これらの問題を解決するために、特許文献１には、ロール紙を保持する支持軸２本、それらが両端に固定されている連結板、既設の紙巻器本体に固定された軸受部を有する衛生設備器具の発明が記載されている。この衛生設備器具は、連結板と２本の支持軸とでコの字型を形成しており、上部にＵ字型の凹みを有する軸受部に支持軸を着脱自在に嵌め合わせることが可能である。使用していたトイレットペーパーを使い終えた際には、軸受部に嵌め合わされていた支持軸をはずし、予備のトイレットペーパーが保持されている支持軸を軸受部に嵌め合わせれば、新しいトイレットペーパーを使用できる状態となる。この際の作業は片手で十分であり、使い終えたロール紙の紙管を除かずに直ちに新しいトイレットペーパーを使用できる簡便さが利点である。
【０００５】
しかし、新しいトイレットペーパーの設置作業の際に操作を誤ると、新しいトイレットペーパーを支持軸や連結板ごと床に落下させてしまう危険性がある。又、ロール紙を保持する支持軸と軸受部とは固定されておらず、一体となった構造ではないため、トイレットペーパーの紙を強く引き出した場合や補助器具に人や物がぶつかった場合等の衝撃でも、トイレットペーパーが支持軸や連結板ごと床に落下する危険性がある。床に落下させてしまったトイレットペーパーは不衛生であるため、廃棄するか、あるいは、床に触れた部分を除去しなければならず、手間や費用がかかってしまう問題が生じていた。よって、扱いには慎重を要さなければならないという不便さがあった。
【先行技術文献】
【特許文献】
【０００６】
【特許文献１】実開昭６２−０６３０９９号公報
【発明の概要】
【発明が解決しようとする課題】
【０００７】
本発明は上記の問題に着目してなされたものであって、新しいトイレットペーパーを使用位置に設置する際の手間や時間をかからないようにし、かつ、トイレットペーパーの落下の危険性が少ない紙巻器用の補助器具としての衛生設備器具を提供することを目的とする。
【課題を解決するための手段】
【０００８】
上記目的を達成するために、本発明の態様は、（ａ）互いに対向する第１及び第２の主面を有し、第１の主面の長手方向の両端部に第１及び第２片持ちピンが設けられ、長軸が長手方向に沿った角丸長方形からなる貫通孔を長手方向の中央に有する板状の回転アームと、（ｂ）柱軸方向に測った長さがトイレットペーパーの紙幅より長い第１の円柱状をなし、その柱軸方向が第２の主面に垂直となるように、第２の主面の上端側に第１の円柱状の一方の底面が固定され、第１の円柱状の他方の底面の一部に第３片持ちピンが設けられ、第１の円柱状の部分にトイレットペーパーの第１ロール紙を保持可能な第１保持軸と、（ｃ）この第１保持軸と同一の柱軸方向の長さを有する第２の円柱状をなし、第１保持軸と平行に、第２の円柱状の一方の底面が第２の主面の下端側に固定され、第２の円柱状の他方の底面の一部に第４片持ちピンが設けられ、第２の円柱状の部分にトイレットペーパーの第２ロール紙を保持可能な第２保持軸と、（ｄ）この第２保持軸と平行に筒軸方向を定義し、貫通孔を囲むように第２の主面に筒軸方向の一方の端部が固定された筒状の可動域制限部と、（ｅ）第１保持軸と平行に、可動域制限部内の空間及び貫通孔を貫通する第１保持軸よりも長い回転軸と、（ｆ）第１の主面と平行に第１の主面に隣接して配置され、下端に回転軸の一方の端部が貫通孔を貫通して垂直に固定され、上端に第１片持ちピン又は第２片持ちピンを嵌合する凹部を有する第１支持部と、（ｇ）回転アームと平行に、回転アームから第１保持軸の柱軸方向の長さ以上に離間して配置された板状をなし、下端に回転軸の他方の端部が垂直に固定され、上端に第３片持ちピン又は第４片持ちピンを嵌合する凹部を有する第２支持部とを備える衛生設備器具であることを要旨とする。
【発明の効果】
【０００９】
本発明によれば、新しいトイレットペーパーを使用位置に設置する際の手間や時間をかからないようにし、かつ、トイレットペーパーの落下の危険性が少ない紙巻器用の補助器具としての衛生設備器具を提供することができる。
【図面の簡単な説明】
【００１０】
【図１】本発明の第１の実施の形態に係る衛生設備器具の斜視図である。
【図２】図２（ａ）は図１の正面図であり、図２（ｂ）は図２（ａ）の左側面図であり、図２（ｃ）は図２（ａ）の右側面図である。
【図３】図３（ａ）は本発明の第１の実施の形態に係る衛生設備器具を紙巻器本体に設置した場合の正面図であり、図３（ｂ）は図３（ａ）の左側面図である。
【図４】図４（ａ）は図３（ａ）にロール紙を保持させた場合の正面図であり、図４（ｂ）は図４（ａ）の左側面図である。
【図５】図５（ａ）は本発明の第１の実施の形態に係る衛生設備器具の使用状態の左側面図１であり、図５（ｂ）は本発明の第１の実施の形態に係る衛生設備器具の使用状態の左側面図２であり、図５（ｃ）は本発明の第１の実施の形態に係る衛生設備器具の使用状態の左側面図３であり、図５（ｄ）は本発明の第１の実施の形態に係る衛生設備器具の使用状態の左側面図４である。
【図６】図６（ａ）は図５（ａ）のＡ部分の拡大図であり、図６（ｂ）は図５（ｂ）のＢ部分の拡大図であり、図６（ｃ）は図５（ｃ）のＣ部分の拡大図であり、図６（ｄ）は図５（ｄ）のＤ部分の拡大図である。
【図７】本発明の第１の実施の形態の変形例に係る衛生設備器具の斜視図である。
【図８】本発明の第２の実施の形態に係る衛生設備器具の斜視図である。
【図９】本発明の第３の実施の形態に係る衛生設備器具の斜視図である。
【図１０】図１０（ａ）は本発明の第４の実施の形態に係る衛生設備器具の正面図であり、図１０（ｂ）は図１０（ａ）の左側面図であり、図１０（ｃ）は図１０（ａ）の右側面図であり、図１０（ｄ）は図１０（ａ）の上面図である。
【図１１】図１１（ａ）は本発明の第５の実施の形態に係る衛生設備器具を紙巻器本体に設置した場合の正面図であり、図１１（ｂ）は図１１（ａ）の左側面図であり、図１１（ｃ）は図１１（ｂ）にロール紙を保持させた場合の左側面図である。
【図１２】図１２（ａ）は本発明の第５の実施の形態の変形例に係る衛生設備器具を紙巻器本体に設置し、かつ、ロール紙を保持させた場合の正面図であり、図１２（ｂ）は図１２（ａ）の左側面図である。
【図１３】図１２（ｂ）のＡ部分の拡大図である。
【図１４】図１４（ａ）は本発明の第６の実施の形態に係る衛生設備器具を紙巻器本体に設置した場合の正面図であり、図１４（ｂ）は図１４（ａ）の左側面図であり、図１４（ｃ）は図１４（ａ）のＡ部分の拡大図である。
【図１５】図１５（ａ）は本発明の第６の実施の形態の変形例に係る衛生設備器具を紙巻器本体に設置した場合の正面図であり、図１５（ｂ）は図１５（ａ）の左側面図であり、図１５（ｃ）は図１５（ａ）のＡ部分の拡大図である。
【発明を実施するための形態】
【００１１】
以下において、図面を参照して、本発明の第１〜第６の実施の形態を説明し、新しいトイレットペーパーを使用位置に設置する際の手間や時間をかからないようにし、かつ、トイレットペーパーの落下の危険性が少ない紙巻器用の補助器具としての衛生設備器具の構造を説明する。以下の図面の記載において、同一又は類似の部分には同一又は類似の符号を付している。ただし、図面は模式的なものであり、厚みと平面寸法との関係、各部材の大きさの比率等は現実のものとは異なることに留意すべきである。したがって、具体的な厚み、寸法、大きさ等は以下の説明から理解できる技術的思想の趣旨を参酌してより多様に判断すべきものである。又、図面相互間においても互いの寸法の関係や比率が異なる部分が含まれていることは勿論である。
【００１２】
又、以下に示す本発明の第１〜第６の実施の形態は、本発明の技術的思想を具体化するための装置を例示するものであって、本発明の技術的思想は、構成部品の材質、形状、構造、配置等を下記のものに特定するものではない。本発明の技術的思想は、本発明の第１〜第６の実施の形態で記載された内容に限定されず、特許請求の範囲に記載された請求項が規定する技術的範囲内において、種々の変更を加えることができる。
【００１３】
（第１の実施の形態）
本発明の第１の実施の形態に係る衛生設備器具は、図３に示したような既設された従来の紙巻器（トイレットペーパー・ホルダ）の本体左側板５１及び本体右側板５３に挟まれて懸架される補助器具であり、図１に示すように回転アーム１５、第１保持軸２１、第２保持軸２３、可動域制限部３０、回転軸２７を備える。回転アーム１５は互いに対向する第１及び第２の主面を有する板状の形状である。板状の形状をなす回転アーム１５の第１の主面の長手方向の両端部には第１片持ちピン３１及び第２片持ちピン３３が設けられている。回転アーム１５には、第１の主面から第２の主面に貫通する貫通孔４１が長手方向の中央に設けられている。貫通孔４１は、板状の形状の長手方向に長軸が沿った角丸長方形である。
【００１４】
一般に「角丸長方形」とは、二つの等しい長さの平行線で定義される長方形と、この長方形を両側から挟む二つの半円形からなる陸上競技場のような形状が該当する。しかし、「二つの半円形」は本質部分ではなく、本発明においては、二つの等しい長さの平行線で定義される長方形と、この長方形を両側から挟む二つの楕円形の一部からなるオーバルな形状も含みうる。このような両端に楕円形の一部を含んだ角丸長方形であってもよいことは、以下の説明の趣旨から容易に理解できるであろう。更に、長方形の４つの角が丸みを帯びた「角丸長方形」も含み得ることは、本発明の趣旨から容易に理解できるであろう。なお、以下において回転アーム１５に設けられる貫通孔４１の「角丸長方形」とは、二つの等しい長さの平行線の長手方向となる長軸が、板状の形状をなす回転アーム１５の長手方向に沿った角丸長方形を意味する。
【００１５】
第１保持軸２１は、柱軸方向に測った長さがトイレットペーパーの紙幅より長い第１の円柱状をなしている。以下において「紙幅」は、トイレットペーパーの紙幅を意味する。なお、以下において、「ロール紙」はトイレットペーパーのロール紙を意味し、特に「第１ロール紙」は、トイレットペーパーの第１ロール紙を意味し、「第２ロール紙」は、トイレットペーパーの第２ロール紙を意味する。第１保持軸２１の円柱の柱軸方向が第２の主面に垂直となるように、第２の主面の上端側に第１の円柱状の一方の底面が固定され、第１の円柱状の他方の底面の一部に第３片持ちピン３５が設けられている。第１保持軸２１の第１の円柱状の部分に第１ロール紙を保持可能である。第２保持軸２３は第１保持軸２１と同一の柱軸方向の長さを有する第２の円柱状をなしている。第２保持軸２３は第１保持軸２１と平行に、第２の円柱状の一方の底面が第２の主面の下端側に固定され、第２の円柱状の他方の底面の一部に第４片持ちピン３７が設けられている。第２保持軸２３の第２の円柱状の部分に第２ロール紙を保持可能である。可動域制限部３０は、第２保持軸２３と平行に筒軸方向を定義し、貫通孔４１を囲むように第２の主面に筒軸方向の一方の端部が固定された筒状の構造である。回転軸２７は、第１保持軸２１と平行に、可動域制限部３０内の空間及び貫通孔４１を貫通し、第１保持軸２１よりも長い。
【００１６】
図３に示したような既設された紙巻器の本体左側板５１及び本体右側板５３に挟み込まれるために、第１の実施の形態に係る衛生設備器具は、更に、図１に示すように第１支持部１３と第２支持部１１を備える。第１支持部１３は、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する。第２支持部１１は、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する。
【００１７】
図２（ａ）及び（ｂ）に示すように、第１本体固定部１７は、板状部材である第２支持部１１の側面上部に設けられ、図２（ａ）及び（ｃ）に示すように、第２本体固定部１９は、板状部材である第１支持部１３の側面上部に設けられている。第１の実施の形態に係る衛生設備器具は、既設の紙巻器の本体左側板５１及び本体右側板５３のそれぞれの内側に設けられているくぼみに、図３（ａ）及び（ｂ）に示す第１本体固定部１７及び第２本体固定部１９を嵌め込んで設置される。既に述べたとおり、従来の紙巻器においては、図３に示すように、本体左側板５１及び本体右側板５３のそれぞれの内側には、ロール紙に挿入される既設（従来）の支持軸の両端を嵌め込むためのくぼみが設けられている。
【００１８】
図１においては、回転アーム１５の一方の面（第２の主面）の上端側に垂直に固定されている第１保持軸２１は第１の実施の形態に係る衛生設備器具の全体の上段（使用位置）に、回転アーム１５の第２の主面の下端側に垂直に固定されている第２保持軸２３は第１の実施の形態に係る衛生設備器具の全体の下段（予備位置）に位置している。回転アーム１５の中央部には、長軸が第１の主面の長手方向に平行に沿った角丸長方形からなる貫通孔４１を有する。第１保持軸２１より下方かつ第２保持軸２３より上方に、貫通孔４１を囲むように、筒状の可動域制限部３０が回転アーム１５の第２の主面の中央部に垂直に固定されている。第１保持軸２１及び第２保持軸２３、可動域制限部３０はそれぞれ互いに平行である。第１保持軸２１及び第２保持軸２３は、トイレットペーパーのロール紙の紙幅より長い円柱状（第１及び第２の円柱状）をなし、それぞれロール紙に挿入される支持軸となる。
【００１９】
図１に示すように、可動域制限部３０は、右側の端部が回転アーム１５の第２の主面の中央部に垂直に固定された中空円柱部２５と、中空円柱部２５の内壁面に内接して固定された中空長円柱状の摺動制御部２９から構成される。本明細書中において「長円柱」とは、円柱構造の互いに平行な上面及び下面が角丸長方形（長円）である円柱のことを言う。摺動制御部２９の中空部分が有する角丸長方形状の断面は、貫通孔４１の角丸長方形状の面と互いに平行で同一形状である。摺動制御部２９の角丸長方形状の断面を貫通孔４１の角丸長方形状の面の方に平行移動させると、両者は過不足なく重なる位置関係と形状となっている。回転軸２７は、可動域制限部３０の摺動制御部２９及び貫通孔４１を貫通するが、摺動制御部２９へ直接固定されず、摺動制御部２９の内部を回転しながら、摺動制御部２９の断面がなす角丸長方形の長軸に沿った摺動移動（平行移動）が可能である。回転軸２７の可動域は、摺動制御部２９の中空部分及び貫通孔４１により移動方向と共に制限されている。
【００２０】
図１においては、摺動制御部２９は、中空円柱部２５の回転アーム１５に固定されていない方の端部近傍の内壁面に内接して固定されているが、固定箇所は、中空円柱部２５の内壁面であれば中空円柱部２５の端部近傍でなくてもかまわない。又、摺動制御部２９の中空部分の断面の角丸長方形の長軸の長さは、回転アーム１５の回転時に必要な摺動距離に合わせて適宜調整すれば良い。
【００２１】
図１に示すように、板状の回転アーム１５の他方の面（第１の主面）の一方の端部（図１において上端）には第１片持ちピン３１、第１の主面の他方の端部（図１において下端）には、第１片持ちピン３１と同一方向に延びるように第２片持ちピン３３が固定されている。第１保持軸２１の一方の端部（図１において左端）には、第１片持ちピン３１と同一の高さかつ第１片持ちピン３１と反対方向に延びるように、第３片持ちピン３５が固定されている。第２保持軸２３の一方の端部（図１において左端）には、第２片持ちピン３３と同一の高さかつ第３片持ちピン３５と同一方向に延びるように、第４片持ちピン３７が固定されている。
【００２２】
図１に示すように、回転軸２７の一方の端部（図１において左端）は板状の第２支持部１１の下端部に垂直に固定され、回転軸２７の他方の端部（図１において右端）は板状の第１支持部１３の下端部に垂直に固定されている。第１支持部１３及び第２支持部１１、回転軸２７とでコの字型を形成する。第１支持部１３は回転アーム１５の第１の主面と平行であり、第１の主面に隣接するように配置されている。第２支持部１１は回転アーム１５と平行であり、回転アーム１５から第１保持軸２１の長さ以上離間し、回転アーム１５と共に第１保持軸２１及び可動域制限部３０を挟むようにして配置されている。第１支持部１３の上端部には第１片持ちピン３１又は第２片持ちピン３３を着脱自在に嵌合することが可能なＵ字型の凹部（ピン溝）が設けられている。同様に、第２支持部１１の上端部には第３片持ちピン３５又は第４片持ちピン３７を着脱自在に嵌合することが可能なＵ字型の凹部（ピン溝）が設けられている。第１支持部１３のピン溝の深さや形状は、第１片持ちピン３１又は第２片持ちピン３３が着脱自在に嵌合することが可能であればいずれでもよく、図１のような丸みを帯びた形状でなくても、又、図１より深くても構わない。第２支持部１１のピン溝についても同様である。
【００２３】
第２支持部１１及び第１支持部１３の両ピン溝にそれぞれ、第３片持ちピン３５及び第１片持ちピン３１が嵌め合わさっている場合、すなわち第１保持軸２１が図１のように使用位置に位置している場合は、回転軸２７は、摺動制御部２９の中空部分及び貫通孔４１の各中央部を貫通するように位置する。同様に、第２支持部１１及び第１支持部１３の両ピン溝にそれぞれ、第４片持ちピン３７及び第２片持ちピン３３が嵌め合わさっている場合、すなわち第２保持軸２３が図１の第１保持軸２１の位置に取って代わる場合も、回転軸２７は、摺動制御部２９の中空部分及び貫通孔４１の各中央部を貫通するように位置する。
【００２４】
第１保持軸２１及び第２保持軸２３の素材は、ロール紙を保持するために必要な強度を有するものであればいずれでも良い。例えば、繊維強化プラスチック（ＦＲＰ）などの各種プラスチックや木材、金属などである。円柱形状の内部に何らかの素材が充填されているタイプでも良いし、軽量化のため、内部が空洞となっているタイプでも良い。円柱形状の側面に相当する曲面は、ロール紙が回転しやすいように摩擦係数が小さいものが望ましい。又、ロール紙の回転に合わせて円柱状の曲面が回転するタイプの構造でも良い。更に、表面に抗菌加工がされた素材でも良い。
【００２５】
その他の部材、例えば可動域制限部３０及び回転軸２７、第２支持部１１、第１支持部１３、回転アーム１５等の素材は、厚みを薄くしても強度を保てるものであればいずれでも良い。例えば、ＦＲＰなどの各種プラスチックや木材、金属などである。又、形状についても、例えば、図１によれば回転アーム１５は角丸長方形の面を有する板状形状であるが、角のある長方形の面を有する板状形状でも良い。
【００２６】
冒頭で述べたとおり、第１の実施の形態に係る衛生設備器具は、図３（ａ）及び（ｂ）に示すように、ロール紙を保持する紙巻器の本体左側板５１及び本体右側板５３の間に嵌め込まれて用いられる補助器具である。既設の紙巻器本体は、本体左側板５１及び本体右側板５３が本体背面板５５に結合した構造である。紙切り板５７は本体背面板５５に結合し、結合部分を軸として上下に動かすことが可能であり、トイレットペーパーの使用時には、紙を押さえて任意の長さに切り取る機能を有する。第１の実施の形態に係る衛生設備器具の回転軸２７及び第１保持軸２１、第２保持軸２３、中空円柱部２５の横幅や太さは任意であり、既設の紙巻器本体に嵌め込むことができるように適宜調整すれば良い。
【００２７】
図４（ａ）及び（ｂ）はそれぞれ、図３（ａ）及び（ｂ）の状態に第１ロール紙６５及び第２ロール紙６７を設置した状態の図である。第１ロール紙６５は使用位置にあり、第２ロール紙６７は予備位置にある。紙切り板５７が使用位置にある第１ロール紙６５を埃やその他の汚れから保護し、より衛生的に第１ロール紙６５を保管・使用する機能も兼ねている。トイレットペーパー（ロール紙）の設置の仕方は、衛生設備器具の全体の下段に位置する保持軸、すなわち図４（ａ）においては予備位置にある第２保持軸２３の左側の開放部分からトイレットペーパーを差し込むだけで良い。両保持軸と可動域制限部３０との間隔は、トイレットペーパーを設置できる程度に確保されていれば良い。
【００２８】
第１の実施の形態に係る衛生設備器具の使用によるトイレットペーパーの交換については、図５の（ａ）〜（ｄ）の各図を用いて説明する。図５（ａ）は使用位置にあった第１ロール紙６５を使用し終えた直後の状態であり、使用済みのロール紙の紙管６９が第１保持軸２１に保持されたままとなっている。この状態において、予備位置にある第２ロール紙６７、又は、第２保持軸２３を掴み、回転アーム１５ごと矢印の方向に持ち上げると、図５（ｂ）の状態となる。
【００２９】
図５（ｂ）に示すように、第２支持部１１の上端部の保持軸用のピン溝に嵌め合わされていた第３片持ちピン３５はピン溝からはずれる。図示は省略するが、第２支持部１１の反対側においても同様に、第１支持部１３の上端部の保持軸用のピン溝に嵌め合わされていた第１片持ちピン３１がピン溝からはずれる。第３片持ちピン３５及び第１片持ちピン３１が両ピン溝への嵌合状態から解放されたことにより、第１保持軸２１は図５（ｂ）の第２支持部１１の左方（壁６１に近づく方向）や右方（壁６１から遠ざかる方向）に自在に動かすことができるようになる。
【００３０】
回転アーム１５の下部を図５（ｂ）の矢印の方向、すなわち右斜め上方に持ち上げると、回転軸２７を中心に回転アーム１５が回転し、図５（ｃ）の中間状態となる。図５（ｃ）に示すように、図５（ａ）において使用位置にあった使用済みのロール紙の紙管６９は、第１保持軸２１ごと下方に移動し、図５（ａ）において予備位置にあった第２ロール紙６７及び第２保持軸２３は、第１保持軸２１より上方に位置することになる。回転アーム１５が図５（ｃ）の右方に移動するにつれ、第２支持部１１は第１本体固定部１７を中心に回転して、第２支持部１１の下部が図５（ｃ）の右方に移動する。
【００３１】
図示は省略するが、第１支持部１３についても同様に連動して動く。この位置から更に図５（ｃ）の矢印の方向に第２保持軸２３を移動させ、第２支持部１１の上端部のピン溝に第４片持ちピン３７を嵌め合わせると、図５（ｄ）の状態となる。図５（ｄ）に示すように、図５（ａ）において使用位置にあった使用済みのロール紙の紙管６９は予備位置に移動し、図５（ａ）において予備位置にあった第２ロール紙６７が使用位置に移動し、トイレットペーパーの交換が完了したことになる。第２ロール紙６７は直ちに使用することができる。予備位置にあるロール紙の紙管６９は、第１保持軸２１から容易に除くことができ、更に、第１保持軸２１には新しい予備のトイレットペーパーを容易に差し込むことができる。
【００３２】
図５の（ａ）〜（ｄ）の各図について回転軸２７を中心に拡大した図が、図６の（ａ）〜（ｄ）の各図である。図６（ａ）に示すように、回転軸２７は端部で手前側にある第２支持部１１に垂直に固定され、可動域制限部３０は端部で奥側にある回転アーム１５に垂直に固定されている。回転軸２７は可動域制限部３０の中央部に位置する。回転アーム１５ごと可動域制限部３０が上方にスライド（摺動）すると、図６（ｂ）の状態となる。図６（ｂ）に示すように、回転軸２７及び第２支持部１１の位置は変わらず、可動域制限部３０の構成部材である摺動制御部２９の中空部分の下部に回転軸２７が位置している。
【００３３】
回転アーム１５が回転すると、回転軸２７は図６（ｂ）における摺動制御部２９の中空部分の上部であった位置に配置され、第２支持部１１の長手方向が鉛直方向から角度のついた図６（ｃ）の状態となる。回転アーム１５が回転軸２７を中心として１８０度回転し、トイレットペーパー交換が完了すると、図６（ｄ）の状態となる。図６（ｄ）に示すように、再び、回転軸２７は可動域制限部３０の中央部に位置する。
【００３４】
第１の実施の形態に係る衛生設備器具によれば、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。第１の実施の形態に係る衛生設備器具に何らかの強い衝撃が加わり、保持軸が両支持部の両ピン溝との嵌合状態から解放されてしまった場合でも同様である。
【００３５】
更に、トイレットペーパー交換の後は、使用済みのロール紙の紙管を除かなくとも、新しいトイレットペーパーを直ちに使用することができる利点がある。又、使用済みのロール紙の紙管の回収や予備のトイレットペーパーの設置についても、紙管やトイレットペーパーの着脱をするのみであり、さらなる特別な操作をすることなく行える。なお、ＪＩＳ規格（JIS P 4501）から外れた芯（紙管）がないタイプのトイレットペーパーであっても、芯なしペーパー用芯棒の構造に合わせるように第１保持軸２１及び第２保持軸２３の形状を変形すれば、第1の実施の形態に係る衛生設備器具は使用可能である。
【００３６】
（第１の実施の形態の変形例）
図７に示すように、第１の実施の形態の変形例に係る衛生設備器具は、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。そして、第１の実施の形態の変形例に係る衛生設備器具は更に、第１の円柱状をなし、その柱軸方向に測った長さが紙幅より長く、且つその柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙を保持可能であり、第２保持軸２３は、第２の円柱状の部分に第２ロール紙を保持可能である。
【００３７】
第１の実施の形態の変形例に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１３と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される（図３参照。）。
【００３８】
図７に示すように、第１の実施の形態の変形例に係る衛生設備器具については、第１の実施の形態に係る衛生設備器具との相違点は摺動制御部２９の構造のみである。第１の実施の形態の変形例に係る衛生設備器具のその他の構造や構造間の関係、素材、使用方法、発明の効果等については、第１の実施の形態に係る衛生設備器具と同様である。
【００３９】
図７に示すように、第１の実施の形態の変形例に係る衛生設備器具の摺動制御部２９は、中空円柱部２５と同様、一方の端部が回転アーム１５の中央部に垂直に固定されている。摺動制御部２９の中空部分は長円柱状であり、中空部分の断面は貫通孔４１の面と同一形状の角丸長方形であり、その中空部分を貫通孔４１に合わせるように、摺動制御部２９が回転アーム１５に固定されている。回転軸２７は、可動域制限部３０の中空部分及び貫通孔４１を貫通するが、可動域制限部３０へ直接固定されてはいない。回転軸２７の可動域は、摺動制御部２９の中空部分及び貫通孔４１により制限されている。
【００４０】
第１の実施の形態の変形例に係る衛生設備器具によれば、第１の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００４１】
（第２の実施の形態）
図８に示すように、本発明の第２の実施の形態に係る衛生設備器具は、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。そして、第２の実施の形態に係る衛生設備器具は更に、第１の円柱状をなし、その柱軸方向に測った長さが紙幅より長く、且つその柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙を保持可能であり、第２保持軸２３は、第２の円柱状の部分に第２ロール紙を保持可能である。
【００４２】
第２の実施の形態に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１３と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される（図３参照。）。
【００４３】
第１本体固定部１７が第２支持部１１の側面上部に設けられ、第２本体固定部１９が第１支持部１３の側面上部に設けられ（図２参照。）、既設の紙巻器の本体左側板５１及び本体右側板５３のそれぞれの内側に設けられているくぼみに、第１本体固定部１７及び第２本体固定部１９を嵌め込んで設置される。
【００４４】
図８に示すように、本発明の第２の実施の形態に係る衛生設備器具については、第１の実施の形態に係る衛生設備器具との相違点は可動域制限部３０の構造のみである。本発明の第２の実施の形態に係る衛生設備器具のその他の構造や構造間の関係、素材、使用方法、発明の効果等については、第１の実施の形態に係る衛生設備器具と同様である。
【００４５】
図８に示すように、本発明の第２の実施の形態に係る衛生設備器具の可動域制限部３０は、長円柱状の中空部分を有する円柱構造であり、一方の端部が回転アーム１５の中央部に垂直に固定されている。図８の可動域制限部３０の中空部分の垂直な断面は貫通孔４１と同一形状であり、可動域制限部３０の中空部分を貫通孔４１に合わせるように可動域制限部３０が回転アーム１５に固定されている。回転軸２７は、可動域制限部３０の中空部分及び貫通孔４１を貫通するが、可動域制限部３０へ直接固定されてはいない。回転軸２７の可動域は、可動域制限部３０の中空部分及び貫通孔４１により制限されている。
【００４６】
本発明の第２の実施の形態に係る衛生設備器具によれば、第１の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００４７】
（第３の実施の形態）
図９に示すように、本発明の第３の実施の形態に係る衛生設備器具は、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。そして、第３の実施の形態に係る衛生設備器具は更に、紙幅より長い第１の円柱状をなし、その柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙を保持可能であり、第２保持軸２３は、第２の円柱状の部分に第２ロール紙を保持可能である。
【００４８】
第３の実施の形態に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１３と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される（図３参照。）。  
【００４９】
第１本体固定部１７が第２支持部１１の側面上部に設けられ、第２本体固定部１９が第１支持部１３の側面上部に設けられ（図２参照。）、既設の紙巻器の本体左側板５１及び本体右側板５３のそれぞれの内側に設けられているくぼみに、第１本体固定部１７及び第２本体固定部１９を嵌め込んで設置される。
【００５０】
図９に示すように、本発明の第３の実施の形態に係る衛生設備器具については、第１の実施の形態に係る衛生設備器具との相違点は可動域制限部３０の構造のみである。本発明の第３の実施の形態に係る衛生設備器具のその他の構造や構造間の関係、素材、使用方法、発明の効果等については、第１の実施の形態に係る衛生設備器具と同様である。
【００５１】
図９に示すように、本発明の第３の実施の形態に係る衛生設備器具の可動域制限部３０は、長円柱状の中空部分を有する長円柱構造であり、一方の端部が回転アーム１５の中央部に垂直に固定されている。図９の可動域制限部３０の中空部分の断面は貫通孔４１の面と同一形状であり、可動域制限部３０の中空部分を貫通孔４１に合わせるように可動域制限部３０が回転アーム１５に固定されている。回転軸２７は、可動域制限部３０の中空部分及び貫通孔４１を貫通するが、可動域制限部３０へ直接固定されてはいない。回転軸２７の可動域は、可動域制限部３０の中空部分及び貫通孔４１により制限されている。
【００５２】
本発明の第３の実施の形態に係る衛生設備器具によれば、第１及び第２の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００５３】
（第４の実施の形態）
図１０（ａ）、（ｂ）、（ｃ）に示すように、本発明の第４の実施の形態に係る衛生設備器具は、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。そして、第４の実施の形態に係る衛生設備器具は更に、紙幅より長い第１の円柱状をなし、その柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙を保持可能であり、第２保持軸２３は、第２の円柱状の部分に第２ロール紙を保持可能である。
【００５４】
第４の実施の形態に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１４と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される（図３参照。）。
【００５５】
第１本体固定部１７が第２支持部１１の側面上部に設けられ、第２本体固定部１９が第１支持部１４の上部に設けられ、既設の紙巻器の本体左側板５１及び本体右側板５３のそれぞれの内側に設けられているくぼみに、第１本体固定部１７及び第２本体固定部１９を嵌め込んで設置される。
【００５６】
図１０（ａ）、（ｃ）、（ｄ）に示すように、本発明の第４の実施の形態に係る衛生設備器具については、第１の実施の形態に係る衛生設備器具の構成部材のうちの第１支持部１３の代わりに、棒状の第１支持部１４を有する点で相違する。本発明の第４の実施の形態に係る衛生設備器具のその他の構造や構造間の関係、素材、使用方法、発明の効果等については、第１の実施の形態に係る衛生設備器具と同様である。
【００５７】
図１０（ａ）、（ｃ）、（ｄ）に示すように、本発明の第４の実施の形態に係る衛生設備器具の第１支持部１４は、第１の実施の形態に係る衛生設備器具の板状の第１支持部１３と異なり、棒状構造である。なお、以下において、「棒状」には円柱状、楕円柱状、角の丸い多角形柱状等、一般に「棒」と呼ばれるタイプの形状を広く含みうる。
【００５８】
本発明の第４の実施の形態に係る衛生設備器具によれば、第１〜第３の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００５９】
更に、第１支持部１４が棒状であるため、角のある板状の場合よりも、トイレットペーパー交換操作の際に手指に怪我をしにくいという効果がある。回転アーム１５と第１支持部１４とは構造的に接近しているため、トイレットペーパー交換操作の際、回転アーム１５を回転させると第１支持部１４との間で手指を挟みやすい。しかし、第１支持部１４が棒状であるため、仮に手指を挟んだ場合でも怪我をしにくいのである。
【００６０】
（第５の実施の形態）
既に第１の実施の形態に係る衛生設備器具の説明で述べたとおり、本発明の衛生設備器具は、既存の紙巻器の本体左側板５１及び本体右側板５３の間に嵌め込まれて用いられる。図３〜図５を用いて説明したとおり、既設の紙巻器本体には、通常、紙切り板５７が本体背面板５５に結合されている。紙切り板５７は結合部分を軸として上下に動かすことが可能である。このため、トイレットペーパーの使用時には、紙切り板５７が上段側の使用位置にある第１ロール紙６５又は第２ロール紙６７の紙を押さえて切り取る機能と共に、使用位置にある第１ロール紙６５又は第２ロール紙６７を埃やその他の汚れから保護する。このように、第１〜第４の実施の形態で説明した衛生設備器具によれば、使用位置にあるロール紙は衛生的に保管される。しかしながら、第１〜第４の実施の形態で説明した衛生設備器具では、下段側の予備位置にある第１ロール紙６５又は第２ロール紙６７を埃やその他の汚れから保護する構造については、考慮がされていなかった。
【００６１】
図１１（ａ）及び（ｂ）に示すように、本発明の第５の実施の形態に係る衛生設備器具は、第１〜第４の実施の形態で説明した衛生設備器具の構造に加え、第１ロール紙カバー７１及び第２ロール紙カバー７３を含む「ロール紙カバー」を有する点が相違する。第１ロール紙カバー７１及び第２ロール紙カバー７３のそれぞれは、図１１（ａ）及び（ｂ）に示すように、回転アーム１５に固定されている。第１ロール紙カバー７１の形状は、第１保持軸２１に第１ロール紙を差し込む際や、第１ロール紙を使用位置で使用する際に障害とならない形状であれば多様な形状が採用可能である。例えば山型、アーケード型、蒲鉾型、ヴォールト（穹窿）型、部分円筒型等の形状が採用可能であるが、ロール紙の表面に位置するトイレットペーパーを保護する目的のためには、自己の母線の方向が、第１保持軸２１の柱軸方向に平行な曲面であることが好ましい。第２ロール紙カバー７３の形状も第２保持軸２３に第２ロール紙を差し込む際や、第２ロール紙を使用位置で使用する際に障害とならない形状であれば多様な形状が採用可能であるが、母線の方向が、第２保持軸２３の柱軸方向に平行な曲面であることが好ましい。
【００６２】
なお、図１１（ａ）及び（ｂ）に示すように、本発明の第５の実施の形態に係る衛生設備器具は、第１〜第４の実施の形態で説明した衛生設備器具の構造と同様に、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。更に、第１〜第４の実施の形態で説明した衛生設備器具の構造と同様に、第５の実施の形態に係る衛生設備器具は更に、紙幅より長い第１の円柱状をなし、その柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙を保持可能であり、第２保持軸２３は、第２の円柱状の部分に第２ロール紙を保持可能である。
【００６３】
第５の実施の形態に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１３と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される。
【００６４】
第１本体固定部１７が第２支持部１１の側面上部に設けられ、第２本体固定部１９が第１支持部１３の側面上部に設けられ、既設の紙巻器の本体左側板５１及び本体右側板５３のそれぞれの内側に設けられているくぼみに、第１本体固定部１７及び第２本体固定部１９を嵌め込んで設置される。図１１に示した第１保持軸２１が上段、第２保持軸２３が下段の回転アーム１５の配向においては、第２ロール紙カバー７３が予備状態となっている第２ロール紙６７の上を被覆することにより、第２ロール紙６７が大気中の埃等によって汚染されることを防止し、予備状態の第２ロール紙６７を清潔に維持できる。図１１とは逆に、第１保持軸２１が下段、第２保持軸２３が上段となる回転アーム１５の配向状態になった場合は、第１保持軸２１に保持される第１ロール紙６５が予備状態となる。図示を省略した第２保持軸２３が上段、第１保持軸２１が下段の配向となった場合は、第１ロール紙カバー７１が予備状態である第１ロール紙６５の上を被覆して第１ロール紙６５が汚染されることを防止し、予備状態である第１ロール紙６５を清潔に維持できる。
【００６５】
第１ロール紙カバー７１の固定位置は、第１保持軸２１にトイレットペーパーを差し込む際や、トイレットペーパーを使用位置で使用する際に障害とならない位置であればいずれでも良いが、第１保持軸２１を囲む曲面上に位置することが好ましい。第２ロール紙カバー７３の固定位置についても同様であり、第２保持軸２３を囲む曲面上に位置することが好ましい。本発明の第５の実施の形態に係る衛生設備器具のその他の構造や構造間の関係、素材、使用方法、発明の効果等については、第１の実施の形態に係る衛生設備器具と同様である。
【００６６】
本発明の第５の実施の形態に係る衛生設備器具によれば、第１〜第４の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００６７】
以上の説明のとおり、本発明の第５の実施の形態に係る衛生設備器具によれば、下段側に位置する第１ロール紙カバー７１又は第２ロール紙カバー７３のいずれかのロール紙カバーが、予備位置にあるトイレットペーパーを埃やその他の汚れから保護することができるため、より衛生的にトイレットペーパーを保管・使用することが可能となる。
【００６８】
（第５の実施の形態の変形例）
図１２（ａ）及び（ｂ）に示すように、本発明の第５の実施の形態の変形例に係る衛生設備器具は、第１〜第４の実施の形態で説明した衛生設備器具の構造に加え、シャッター型ロール紙カバー７７と、第１カバー固定リング７５及び第２カバー固定リング７６とを更に備える点が相違する。第１カバー固定リング７５は、図１２（ａ）及び（ｂ）に示すように、中空円柱部２５には直接固定はされていないが、中空円柱部２５の円柱形状の外面を一周囲むようなリング状であり、中空円柱部２５の柱軸方向に動かすことができ、かつ、中空円柱部２５の柱軸に対する垂直な面上を自在に回転することができる。第２カバー固定リング７６と中空円柱部２５との関係についても同様であり、図１２（ａ）に示すように、第２カバー固定リング７６は第１カバー固定リング７５の右方に配置されている。図１２（ａ）及び（ｂ）に示すように、シャッター型ロール紙カバー７７は第１カバー固定リング７５及び第２カバー固定リング７６のそれぞれの外面に固定され、予備位置に第２ロール紙６７がある場合、すなわち図１２（ａ）及び（ｂ）の場合は、第２ロール紙６７のロール面の一部に被さるように配置されている。シャッター型ロール紙カバー７７は複数のスラット部から構成され、各スラット部の間で折り曲げることが可能な構造である。
【００６９】
第１の実施の形態と同様に、トイレットペーパー交換は、図１２（ｂ）の状態から回転アーム１５を回転させ、第２ロール紙６７を第２保持軸２３ごと使用位置に移動させて行う。シャッター型ロール紙カバー７７は、回転アーム１５の回転に伴い、第２ロール紙６７に接した状態で共に移動する。第２ロール紙６７が上方に移動し、使用位置に近くなると、シャッター型ロール紙カバー７７は第２ロール紙６７から離れる。第１カバー固定リング７５及び第２カバー固定リング７６がそれぞれ中空円柱部２５の柱軸に対する垂直な面上を回転し（図１２（ｂ）では反時計回りに回転）、シャッター型ロール紙カバー７７は中空円柱部２５と壁６１の間を通って下方に落ち、中空円柱部２５にぶらさがるように位置することになる。シャッター型ロール紙カバー７７が下方に落ちる際は、各スラット部間が折り曲がるので、衛生設備器具の他の構造や紙巻器、壁に引っかかることはない。万が一引っかかってしまった場合でも、シャッター型ロール紙カバー７７の各スラット部間を更に折り曲げたり、回転アーム１５や第１支持部１３、第２支持部１１を図１２（ｂ）の右方に少し引き出して隙間を調整したりすることで、中空円柱部２５にぶらさがるように位置させることが可能である。中空円柱部２５にぶらさがったシャッター型ロール紙カバー７７の下端部は、予備位置に位置することになった第１保持軸２１と壁６１の間に存在する可能性もあるが、その際は、シャッター型ロール紙カバー７７の各スラット部間を折り曲げて第１保持軸２１の右方に移動させることが容易に可能である。これにより、第１保持軸２１に保持されている紙管を除去した後に新しいトイレットペーパーを挿入した際に、新しいトイレットペーパーをシャッター型ロール紙カバー７７で保護することが可能となる。
【００７０】
図１３に示すように、シャッター型ロール紙カバー７７は、表スラット７８ｋ（添え字ｋ＝１，２，３…）及び裏スラット７９ｋ（添え字ｋ＝１，２，３…）からなるスラット部を単位として連続して結合した構造である。表スラット７８ｋは、図１３のように衛生設備器具の側面方向から見た場合は、下底の底角αを有する等脚台形形状である。トイレットペーパー交換の際に回転アーム１５を回転させる場合には、前述のようにシャッター型ロール紙カバー７７を表スラット側へ折り曲げることが必要となるが、この曲がり度合を制限する要因のひとつが底角αの角度である。底角αが小さいほど、シャッター型ロール紙カバー７７は表スラット側の方向に大きく折り曲げることが可能となる。又、折り曲げるだけでなく、シャッター型ロール紙カバー７７の下側の端部から巻き込んでいくことも可能となる。
【００７１】
又、シャッター型ロール紙カバー７７の表スラット側への曲がり度合には、表スラット７８ｋの下底の長さも関与する。αが一定の場合、下底の長さが短く、スラット部の数が多くなるほど、シャッター型ロール紙カバー７７は表スラット側の方向に大きく折り曲げることが可能となる。又、折り曲げるだけでなく、シャッター型ロール紙カバー７７の下側の端部から巻き込んでいくことも可能となる。
【００７２】
図１３における裏スラット７９ｋの形状や曲がり度合の制限についても、表スラット７８ｋと同様である。裏スラット７９ｋの下底の底角βが小さいほど、シャッター型ロール紙カバー７７は裏スラット側の方向に大きく折り曲げることが可能となる。又、底角βが一定の場合、下底の長さが短く、スラット部の数が多くなるほど、シャッター型ロール紙カバー７７は裏スラット側の方向に大きく折り曲げることが可能となる。
【００７３】
表スラット７８ｋ及び裏スラット７９ｋの素材については、繊維強化プラスチック（ＦＲＰ）などの各種プラスチックや木材、金属等様々用いることができる。内部に何らかの素材が充填されているタイプでも良いし、軽量化のため、内部が空洞となっているタイプでも良い。特に裏スラット７９ｋはロール紙に直接接触するので、表面に抗菌加工がされた素材が好ましい。
【００７４】
シャッター型ロール紙カバー７７のスラット部間の結合用の素材については、シャッター型ロール紙カバー７７を表スラット側又は裏スラット側に折り曲げることができる素材であればいずれでも良いが、耐久性や運動性能の観点から、ゴム又は樹脂での接着が好ましい。又、折り曲げを妨げないのであれば、各スラット部に細孔を設け、細孔に金属製等のリングを通して各スラット部を結合する形態も可能である。
【００７５】
なお、図１２（ａ）及び（ｂ）に示すように、本発明の第５の実施の形態の変形例に係る衛生設備器具は、第１〜第４の実施の形態で説明した衛生設備器具の構造と同様に、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。更に、第１〜第４の実施の形態で説明した衛生設備器具の構造と同様に、第５の実施の形態に係る衛生設備器具は更に、紙幅より長い第１の円柱状をなし、その柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙６５を保持可能であり、第２保持軸２３は、第２の円柱状の部分に第２ロール紙６７を保持可能である。
【００７６】
第５の実施の形態に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１３と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される。
【００７７】
図１２（ａ）に示すように、第１本体固定部１７が第２支持部１１の側面上部に設けられ、第２本体固定部１９が第１支持部１３の側面上部に設けられ、既設の紙巻器の本体左側板５１及び本体右側板５３のそれぞれの内側に設けられているくぼみに、第１本体固定部１７及び第２本体固定部１９を嵌め込んで設置される。更に、第１支持部１３の側面中央部には板バネ状の第１バネ型固定部４３の一方の端部が固定され、第１バネ型固定部４３の他方の端部は、第２本体固定部１９がくぼみに嵌め込まれた際には本体右側板５３の側面を外側から押さえつけるように接する。第１バネ型固定部４３と第２本体固定部１９とで本体右側板５３を挟むように配置されるため、第２本体固定部１９のみの場合より強固に第１支持部１３を既設の紙巻器に固定することが可能となる。第２支持部１１の側面中央部に固定されている板バネ状の第２バネ型固定部４５についても、形状や機能等は第１バネ型固定部４３と同様である。以上のように、本発明の第５の実施の形態の変形例に係る衛生設備器具を例にとり、第１バネ型固定部４３及び第２バネ型固定部４５を用いた紙巻器への固定方法を示したが、他の実施の形態に対しても本固定方法を導入できることは勿論である。本発明の第５の実施の形態の変形例に係る衛生設備器具のその他の構造や構造間の関係、素材、使用方法、発明の効果等については、第１の実施の形態に係る衛生設備器具と同様である。
【００７８】
図１２（ａ）及び（ｂ）に示した第１保持軸２１が上段、第２保持軸２３が下段の回転アーム１５の配向においては、シャッター型ロール紙カバー７７が予備状態となっている第２ロール紙６７の上を被覆することにより、第２ロール紙６７が大気中の埃等によって汚染されることを防止し、予備状態の第２ロール紙６７を清潔に維持できる。図１２（ａ）及び（ｂ）とは逆に、第１保持軸２１が下段、第２保持軸２３が上段となる回転アーム１５の配向状態になった場合は、第１保持軸２１に保持される第１ロール紙６５が予備状態となる。図示を省略した第２保持軸２３が上段、第１保持軸２１が下段の配向となった場合は、シャッター型ロール紙カバー７７が予備状態である第１ロール紙６５の上を被覆して第１ロール紙６５が汚染されることを防止し、予備状態である第１ロール紙６５を清潔に維持できる。
【００７９】
図１２（ａ）及び（ｂ）、図１３において、第５の実施の形態の変形例の衛生設備器具のシャッター型ロール紙カバー７７は、第１カバー固定リング７５及び第２カバー固定リング７６を介して中空円柱部２５に接続され、スラット部の数は５であり、各スラット部は表スラットと裏スラットがセットとなった構造である。しかし、予備位置にある第１ロール紙６５又は第２ロール紙６７を埃その他の汚れから保護することができ、トイレットペーパー交換や補充の動作を妨げず、使用位置でのトイレットペーパーの使用を妨げないのであれば、衛生設備器具の他の構造への接続方法や接続位置、スラット部の数はこれに限ったものではなく、又、表スラット又は裏スラットのいずれか一方しかない構造であっても良い。又、同様の理由で、表スラットと裏スラットとが一体となった構造であり、分割できないような形状でも良い。更に同様の理由で、表スラット及び裏スラットは、図１２（ｂ）及び図１３においては等脚台形形状であるが、下底の２つの底角が異なるような台形形状でも構わない。
【００８０】
本発明の第５の実施の形態の変形例に係る衛生設備器具によれば、第１〜第４の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００８１】
以上の説明のとおり、本発明の第５の実施の形態の変形例に係る衛生設備器具によれば、シャッター型ロール紙カバー７７が予備位置にあるトイレットペーパーを埃やその他の汚れから保護することができるため、より衛生的にトイレットペーパーを保管・使用することが可能となる。
【００８２】
（第６の実施の形態）
図１４（ａ）及び（ｂ）に示すように、本発明の第６の実施の形態に係る衛生設備器具は、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。そして、第６の実施の形態に係る衛生設備器具は更に、紙幅より長い第１の円柱状をなし、その柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙を保持可能であり、第２保持軸２３は、第２の円柱状の部分に第２ロール紙を保持可能である。
【００８３】
第６の実施の形態に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１３と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される。
【００８４】
図１４（ａ）に示すように、本発明の第６の実施の形態に係る衛生設備器具については、第１の実施の形態に係る衛生設備器具の構成部材のうちの第１本体固定部１７及び第２本体固定部１９の代わりに、第１ボルト状凸部８１及び第２ボルト状凸部８５、第１ナット状留め具８３及び第２ナット状留め具８７を有する点が相違する。既設の紙巻器の本体左側板５１及び本体右側板５３のそれぞれに設けられている貫通した側孔に、第１ボルト状凸部８１及び第２ボルト状凸部８５を嵌め込み、更にそれぞれに第１ナット状留め具８３及び第２ナット状留め具８７を嵌め込んで設置される。本発明の第６の実施の形態に係る衛生設備器具のその他の構造や構造間の関係、素材、使用方法、発明の効果等については、第１の実施の形態に係る衛生設備器具と同様である。
【００８５】
図１４（ａ）に示すように、本発明の第６の実施の形態に係る衛生設備器具の第１ボルト状凸部８１は第２支持部１１の上部に固定されている。図１４（ａ）、（ｂ）、（ｃ）に示すように、第１ボルト状凸部８１が既設の紙巻器本体の本体左側板５１の側孔８９に差し込まれ、第１ナット状留め具８３が相補的に嵌められることで、第２支持部１１が既設の紙巻器本体に固定される仕組みである。第１支持部１３についても、第２ボルト状凸部８５及び第２ナット状留め具８７を使用することで、同様に既設の紙巻器本体に固定することができる。支持軸を嵌めるためのくぼみの代わりに貫通した側孔を有するタイプの紙巻器本体に対して有効な固定の仕方であり、第１〜第５の実施の形態に係る衛生設備器具のように既設の紙巻器本体のくぼみを利用して固定する方法より、衛生設備器具を強固に固定することが可能となる。
【００８６】
本発明の第６の実施の形態に係る衛生設備器具によれば、第１〜第５の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００８７】
（第６の実施の形態の変形例）
図１５（ａ）及び（ｂ）に示すように、本発明の第６の実施の形態の変形例に係る衛生設備器具は、互いに対向する第１及び第２の主面を有し、第１の主面の長手方向の両端部に第１片持ちピン３１及び第２片持ちピン３３が設けられ、角丸長方形からなる貫通孔４１を中央に有する板状の回転アーム１５を備える。そして、第６の実施の形態の変形例に係る衛生設備器具は更に、紙幅より長い第１の円柱状をなし、その柱軸方向が第２の主面に垂直となるように、第２の主面の上端側に第１の円柱状の一方の底面が固定され、第１の円柱状の他方の底面の一部に第３片持ちピン３５が設けられた第１保持軸２１と、第１保持軸２１と同一の柱軸方向の長さを有する第２の円柱状をなし、第１保持軸２１と平行に、第２の円柱状の一方の底面が第２の主面の下端側に固定され、第２の円柱状の他方の底面の一部に第４片持ちピン３７が設けられた第２保持軸２３を備える。第１保持軸２１は、第１の円柱状の部分に第１ロール紙を保持可能であり、第２保持軸２３は、第２の円柱状の部分に第２ロール紙を保持可能である。
【００８８】
第６の実施の形態の変形例に係る衛生設備器具は更に、第２保持軸２３と平行に筒軸方向を定義し、貫通孔４１を囲むように第２の主面に筒軸方向の一方の端部が固定された筒状の可動域制限部３０と、第１保持軸２１と平行に、可動域制限部３０内の空間及び貫通孔４１を貫通する、第１保持軸２１よりも長い回転軸２７と、第１の主面と平行に第１の主面に隣接して配置され、下端に回転軸２７の一方の端部が貫通孔４１を貫通して垂直に固定され、上端に第１片持ちピン３１又は第２片持ちピン３３を着脱自在に嵌合する凹部を有する第１支持部１３と、回転アーム１５と平行に、回転アーム１５から第１保持軸２１の柱軸方向の長さ以上に離間して配置された板状をなし、下端に回転軸２７の他方の端部が垂直に固定され、上端に第３片持ちピン３５又は第４片持ちピン３７を着脱自在に嵌合する凹部を有する第２支持部１１をも備え、既設の紙巻器の本体左側板５１及び本体右側板５３の間に懸架される。
【００８９】
図１５（ａ）に示すように、本発明の第６の実施の形態の変形例に係る衛生設備器具については、第１の実施の形態に係る衛生設備器具の構成部材のうちの第１本体固定部１７及び第２本体固定部１９の代わりに、第１円柱状凸部９１及び第２円柱状凸部９５、第１キャップ状留め具９３及び第２キャップ状留め具９７を有する点が相違する。既設の紙巻器の本体左側板５１及び本体右側板５３のそれぞれに設けられている貫通した側孔に、第１円柱状凸部９１及び第２円柱状凸部９５を嵌め込み、更にそれぞれに第１キャップ状留め具９３及び第２キャップ状留め具９７を嵌め込んで設置される。本発明の第６の実施の形態の変形例に係る衛生設備器具のその他の構造や構造間の関係、素材、使用方法、発明の効果等については、第１の実施の形態に係る衛生設備器具と同様である。
【００９０】
図１５（ａ）に示すように、本発明の第６の実施の形態の変形例に係る衛生設備器具の第１円柱状凸部９１は第２支持部１１の上部に固定されている。図１５（ａ）、（ｂ）、（ｃ）に示すように、第１円柱状凸部９１が既設の紙巻器本体の本体左側板５１の側孔８９に差し込まれ、第１キャップ状留め具９３が相補的に嵌められることで、第２支持部１１が既設の紙巻器本体に固定される仕組みである。第１円柱状凸部９１と第１キャップ状留め具９３は摩擦力を利用して互いに結合している。第１支持部１３についても、第２円柱状凸部９５及び第２キャップ状留め具９７を使用することで、同様に既設の紙巻器本体に固定することができる。支持軸を嵌めるためのくぼみの代わりに貫通した側孔を有するタイプの紙巻器本体に対して有効な固定の仕方であり、第１〜第５の実施の形態に係る衛生設備器具のように既設の紙巻器本体のくぼみを利用して固定する方法より、衛生設備器具を強固に固定することが可能となる。
【００９１】
本発明の第６の実施の形態の変形例に係る衛生設備器具によれば、第１〜第６の実施の形態に係る衛生設備器具同様、片手での簡便な操作で新しいトイレットペーパーを使用位置に設置することができるので、トイレットペーパー交換の手間や時間をかからないようにできる。かつ、交換作業途中で誤って衛生設備器具を手から離してしまったとしても、あるいは衛生設備器具に何らかの強い衝撃が加わり、保持軸が両支持部の両ピン溝との嵌合状態から解放されてしまった場合でも、回転軸２７を中心に、より大きな荷重がかけられている方の保持軸、すなわちトイレットペーパーの残量が多い方の保持軸が予備位置付近に移動するのみで床には落下しない構造であるので、トイレットペーパー自体の落下の危険性を少なくすることができる。
【００９２】
（その他の実施の形態）
上記のように、本発明は第１〜第６の実施の形態によって記載したが、この開示の一部をなす論述及び図面は本発明を限定するものであると理解すべきではない。この開示から当業者には様々な代替実施の形態、実施例及び運用技術が明らかとなろう。
【００９３】
例えば、本発明の第１〜第６の実施の形態に係る衛生設備器具の説明では、図３〜図５に示したような既設（従来）の紙巻器の本体左側板５１及び本体右側板５３に挟まれて懸架される補助器具であるとして、便宜上説明した。しかし、従来の紙巻器に用いられている本体左側板５１及び本体右側板５３ではなく、特許請求の範囲に記載された発明特定事項によって規定される構造の衛生設備器具を挟んで懸架することの可能な機構を有していれば、いかなる構造でもよい。例えば、専用の側板を設けて、専用の側板の間に、本発明の衛生設備器具を適用することを除外するものでないことは容易に理解できるであろう。
【００９４】
又、第１〜第６の実施の形態で説明したそれぞれの技術的思想の一部を適宜、互いに組み合わせることも可能である。このように、本発明はここでは記載していない様々な実施の形態等を含むことは勿論である。したがって、本発明の技術的範囲は上記の説明から妥当と解釈しうる、特許請求の範囲に係る発明特定事項によってのみ定められるものである。
【符号の説明】
【００９５】
１１…第２支持部
１３、１４…第１支持部
１５…回転アーム
１７…第１本体固定部
１９…第２本体固定部
２１…第１保持軸
２３…第２保持軸
２５…中空円柱部
２７…回転軸
２９…摺動制御部
３０…可動域制限部
３１…第１片持ちピン
３３…第２片持ちピン
３５…第３片持ちピン
３７…第４片持ちピン
４１…貫通孔
４３…第１バネ型固定部
４５…第２バネ型固定部
５１…本体左側板
５３…本体右側板
５５…本体背面板
５７…紙切り板
６１…壁
６５…第１ロール紙
６７…第２ロール紙
６９…ロール紙の紙管
７１…第１ロール紙カバー（ロール紙カバー）
７３…第２ロール紙カバー（ロール紙カバー）
７５…第１カバー固定リング
７６…第２カバー固定リング
７７…シャッター型ロール紙カバー（ロール紙カバー）
７８ｋ、７８ｋ＋１…表スラット
７９ｋ、７９ｋ＋１…裏スラット
８１…第１ボルト状凸部
８３…第１ナット状留め具
８５…第２ボルト状凸部
８７…第２ナット状留め具
８９…側孔
９１…第１円柱状凸部
９３…第１キャップ状留め具
９５…第２円柱状凸部
９７…第２キャップ状留め具
【図１】
2019103568.tif 000003
【図２】
2019103568.tif 000004
【図３】
2019103568.tif 000005
【図４】
2019103568.tif 000006
【図５】
2019103568.tif 000007
【図６】
2019103568.tif 000008
【図７】
2019103568.tif 000009
【図８】
2019103568.tif 000010
【図９】
2019103568.tif 000011
【図１０】
2019103568.tif 000012
【図１１】
2019103568.tif 000013
【図１２】
2019103568.tif 000014
【図１３】
2019103568.tif 000015
【図１４】
2019103568.tif 000016
【図１５】
2019103568.tif 000017